(57)【特許請求の範囲】
【請求項１】
棒金を立位状態でそれぞれ１本ずつ収納する複数の棒金収納空間と、
前記棒金収納空間に対応する位置に配置されたセンサと、
前記センサの出力に応じて前記棒金収納空間における前記棒金の有無を判定する判定部と、
前記棒金収納空間の各々に対応して設けられ、前記棒金収納空間に収納された前記棒金の底部と当接する当接部と、を備え、
前記当接部の各々の内部に穴部が形成された、
現金収納装置。
【請求項２】
前記現金収納装置は、複数の前記当接部と前記複数の当接部に渡って形成される凹部を備え、
前記複数の当接部各々の前記穴部は前記凹部の一部を形成する、
請求項１に記載の現金収納装置。
【請求項３】
前記凹部は直線状に形成される、請求項２に記載の現金収納装置。
【請求項４】
前記棒金収納空間の内径は、硬貨外径が最大となる金種の硬貨外径より大きい、請求項１〜３のいずれか一項に記載の現金収納装置。
【請求項５】
前記棒金収納空間に収納された前記棒金側に前記当接部を付勢する弾性部材をさらに備える請求項１または４に記載の現金収納装置。
【請求項６】
前記センサは配線パターンで形成されたコイルである、請求項１〜５のいずれか一項に記載の現金収納装置。
【請求項７】
前記センサは前記棒金収納空間の側面に対向して設けられる、請求項１〜６のいずれか一項に記載の現金収納装置。
【請求項８】
前記穴部は貫通孔である、請求項１または４に記載の現金収納装置。
【発明の詳細な説明】
【技術分野】
【０００１】
本発明は、現金収納装置に関する。
【背景技術】
【０００２】
近年、小売店やスーパーマーケットなどの流通施設および商業施設において、売上金を入金し、釣銭準備金を出金する現金処理装置が設置されている。現金処理装置の一例として、同一金種の所定枚数の硬貨を棒状に包装して得られる棒金の収納機能を備える現金処理装置も知られている。
【０００３】
例えば、特許文献１には、棒金収納庫を備え、棒金収納庫に収納されている棒金数を棒金収納庫のスライド開閉時に検出するための現金処理装置が開示されている。
【先行技術文献】
【特許文献】
【０００４】
【特許文献１】特開２０１３−１１８０１２号公報
【発明の概要】
【発明が解決しようとする課題】
【０００５】
収納されている棒金数を検出するための他の方法として、棒金が収納される棒金収納空間の各々に対してセンサを設ける方法が考えられる。上記方法では、棒金収納庫が閉じられている状態においても棒金数を検出することが可能である。
【０００６】
しかし、棒金が収納される棒金収納空間に異物が混入した場合に、当該異物が棒金収納空間に収納される棒金の姿勢に影響を与える。より具体的には、棒金が収納される棒金収納空間に異物が混入した場合に、棒金収納空間に収納される棒金の底部と当接する当接部と当該棒金の間に異物が介在することにより当該棒金が傾く。したがって、棒金が収納される棒金収納空間に異物が混入することにより、棒金収納空間に収納される棒金とセンサとの位置関係のバラつきが生じる。結果として、各センサから出力される検出レベルのバラつきが生じ、当該検出レベルのバラつきが棒金有無の判定精度に影響を与えるという問題があった。
【０００７】
そこで、本発明は、上記問題に鑑みてなされたものであり、本発明の目的とするところは、棒金有無の判定精度を向上することが可能な、新規かつ改良された現金収納装置を提供することにある。
【課題を解決するための手段】
【０００８】
上記課題を解決するために、本発明のある観点によれば、棒金を立位状態でそれぞれ１本ずつ収納する複数の棒金収納空間と、前記棒金収納空間に対応する位置に配置されたセンサと、前記センサの出力に応じて前記棒金収納空間における前記棒金の有無を判定する判定部と、前記棒金収納空間の各々に対応して設けられ、前記棒金収納空間に収納された前記棒金の底部と当接する当接部と、を備え、前記当接部の各々の内部に穴部が形成された、現金収納装置が提供される。
【０００９】
前記現金収納装置は、複数の前記当接部と前記複数の当接部に渡って形成される凹部を備え、前記複数の当接部各々の前記穴部は前記凹部の一部を形成してもよい。
【００１０】
前記凹部は直線状に形成されてもよい。
【００１１】
前記棒金収納空間の内径は、硬貨外径が最大となる金種の硬貨外径より大きくてもよい。
【００１２】
前記棒金収納空間に収納された前記棒金側に前記当接部を付勢する弾性部材をさらに備えてもよい。
【００１３】
前記センサは配線パターンで形成されたコイルであってもよい。
【００１４】
前記センサは前記棒金収納空間の側面に対向して設けられてもよい。
【００１５】
前記穴部は貫通孔であってもよい。
【発明の効果】
【００１６】
以上説明したように本発明によれば、棒金有無の判定精度を向上することができる。
【図面の簡単な説明】
【００１７】
【図１】本発明の第１の実施形態に係る現金処理装置の外観の具体例を示す斜視図である。
【図２】本発明の第１の実施形態に係る棒金収納部の外観の具体例を示す斜視図である。
【図３】棒金が収納された本発明の第１の実施形態に係る棒金収納部の外観の具体例を示す斜視図である。
【図４】本発明の第１の実施形態に係る棒金収納部の具体例を示す平面図である。
【図５】本発明の第１の実施形態に係る棒金収納部の具体例を示す棒金収納列に沿ったＡ１−Ａ１断面における断面図である。
【図６】配線パターンで形成されたコイルの具体例を示す説明図である。
【図７】棒金収納列に沿った断面における、棒金が収納された比較例に係る棒金収納部の具体例を示す断面図の拡大図である。
【図８】棒金収納列に垂直な断面における、棒金が収納された比較例に係る棒金収納部の具体例を示す断面図の拡大図である。
【図９】棒金収納列に沿ったＡ１−Ａ１断面における、棒金が収納された本発明の第１の実施形態に係る棒金収納部の具体例を示す断面図の拡大図である。
【図１０】棒金収納列に垂直なＡ２−Ａ２断面における、棒金が収納された本発明の第１の実施形態に係る棒金収納部の具体例を示す断面図の拡大図である。
【図１１】本発明の第１の実施形態に係る棒金収納部における、混入異物の除去動作の具体例を示す平面図の拡大図および棒金収納列に沿ったＡ１−Ａ１断面における断面図の拡大図である。
【図１２】本発明の第１の実施形態に係る棒金収納部における、混入硬貨の除去動作の具体例を示す平面図の拡大図および棒金収納列に沿ったＡ１−Ａ１断面における断面図の拡大図である。
【図１３】本発明の第２の実施形態に係る棒金収納部の具体例を示す平面図である。
【図１４】本発明の第２の実施形態に係る棒金収納部の具体例を示す棒金収納列に沿ったＡ３−Ａ３断面における断面図である。
【図１５】本発明の第３の実施形態に係る棒金収納部の具体例を示す平面図である。
【図１６】棒金収納列に沿ったＡ４−Ａ４断面における本発明の第３の実施形態に係る棒金収納部の具体例を示す断面図の拡大図である。
【図１７】棒金収納列に沿ったＡ４−Ａ４断面における、棒金が収納された本発明の第３の実施形態に係る棒金収納部の具体例を示す断面図の拡大図である。
【図１８】棒金収納列に沿ったＡ４−Ａ４断面における、棒金が収納された本発明の第３の実施形態に係る棒金収納部の具体例を示す断面図の拡大図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜０．導入＞
本発明は、小売店やスーパーマーケットなどの流通施設および商業施設に設置される現金処理装置に適用される。本発明の実施形態に係る現金処理装置は、例えば、レジで用いられる釣銭準備金として紙幣および硬貨を出金する釣銭出金、およびレジから回収された紙幣および硬貨を入金する売上入金などの処理を実行可能である。さらに、本発明の実施形態に係る現金処理装置は、硬貨を棒状に包装して得られる棒金を収納する現金収納装置としての機能を包含する。以下、このような本実施形態に係る現金処理装置の構成を詳細に説明する。
【００２０】
＜１．第１の実施形態＞
（現金処理装置の構成）
図１は、本発明の第１の実施形態に係る現金処理装置１００の外観の具体例を示す斜視図である。図１に示したように、現金処理装置１００は、操作表示部１０２、硬貨入金口１０４、硬貨処理部１０６、硬貨出金口１０８、紙幣入出金口１１０、紙幣処理部１１２および棒金収納部１１４を備える。
【００２１】
操作表示部１０２は、オペレータ操作を検出する操作部としての機能、および各種画面を表示する表示部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えば静電容量方式または抵抗膜方式のタッチパネルにより実現される。
【００２２】
硬貨入金口１０４は、硬貨の投入を受け付ける。例えば、硬貨入金口１０４は、複数の硬貨を同時に投入可能な大きさを有し、図１に示したように硬貨処理部１０６および硬貨出金口１０８よりも上部に配置される。なお、硬貨入金口１０４は開閉されるシャッタを有してもよく、硬貨が投入される際に当該シャッタが開かれ得る。
【００２３】
硬貨処理部１０６は、硬貨の入出金処理を行う。具体的には、硬貨処理部１０６は、硬貨入金口１０４に投入される硬貨を収納し、オペレータ操作によって指示される金種および枚数の硬貨を硬貨出金口１０８に送出する。
【００２４】
硬貨出金口１０８は、硬貨を現金処理装置１００の外部に放出する。例えば、硬貨出金口１０８は、複数の硬貨を同時に保留可能な大きさを有し、図１に示したように硬貨処理部１０６よりも下部に配置される。また、硬貨出金口１０８は開閉されるシャッタを有し、硬貨が放出される際に当該シャッタが開かれる。
【００２５】
紙幣入出金口１１０は、入金される紙幣の投入を受け付け、出金される紙幣を現金処理装置１００の外部に放出する。例えば、紙幣入出金口１１０は、複数の紙幣を同時に保留可能な大きさを有し、図１に示したように紙幣処理部１１２よりも上部に配置される。また、紙幣入出金口１１０は開閉されるシャッタを有し、紙幣が投入され、または放出される際に当該シャッタが開かれる。
【００２６】
紙幣処理部１１２は、紙幣の入出金処理を行う。具体的には、紙幣処理部１１２は、紙幣入出金口１１０に投入される紙幣を収納し、ユーザ操作によって指示される金種および枚数の紙幣を紙幣入出金口１１０に送出する。
【００２７】
棒金収納部１１４は、棒金を収納するための構成であり、現金処理装置１００から引き出し可能に構成される。オペレータは、棒金収納部１１４を現金処理装置１００から引き出すことにより、棒金収納部１１４に収納された棒金を取り出すことが可能である。なお、棒金収納部１１４は、施錠可能に構成されてもよい。以下、図２〜図６を参照して、本発明の第１の実施形態に係る棒金収納部１１４の構成をより具体的に説明する。
【００２８】
（棒金収納部の構成）
図２は、本発明の第１の実施形態に係る棒金収納部１１４の外観の具体例を示す斜視図である。図４は、本発明の第１の実施形態に係る棒金収納部１１４の具体例を示す平面図である。図２および図４に示したように、本発明の第１の実施形態に係る棒金収納部１１４は、棒金トレイ１２０と、棒金検出基板１２２と、を備える。以下、上記各々の構成について、順次詳細に説明する。
【００２９】
図２に示したように、棒金収納部１１４は、棒金を立位状態で収納するための棒金トレイ１２０を有する。棒金トレイ１２０は、複数の棒金収納列Ｒを含み、各棒金収納列Ｒは、棒金を収納するための複数の棒金収納空間により形成される。
【００３０】
例えば、各棒金収納列Ｒは、図２に示したように、一円玉の棒金を収納するための２つの棒金収納空間Ｓ１１、五円玉の棒金を収納するための１つの棒金収納空間Ｓ１２、十円玉の棒金を収納するための３つの棒金収納空間Ｓ１３、五十円玉の棒金を収納するための１つの棒金収納空間Ｓ１４、百円玉の棒金を収納するための３つの棒金収納空間Ｓ１５、および五百円玉の棒金を収納するための１つの棒金収納空間Ｓ１６により形成される。すなわち、棒金収納列Ｒは、異なる金種の棒金を収納するための棒金収納空間Ｓ１１〜Ｓ１６により形成される。一方、図２において矢印Ｘが示す棒金収納部１１４の引出し方向上には、同一金種の棒金を収納するための棒金収納空間が形成される。以下、各金種の棒金収納空間Ｓ１１〜Ｓ１６を特に区別する必要が無い場合には、各金種の棒金収納空間Ｓ１１〜Ｓ１６を単に棒金収納空間、または棒金収納空間Ｓ１０と総称する。
【００３１】
なお、図２において矢印Ｘが示す棒金収納部１１４の引出し方向と垂直な方向に棒金収納列が形成されるが、棒金収納列が形成される方向は矢印Ｘが示す棒金収納部１１４の引出し方向と垂直な方向に限定されない。例えば、図２において矢印Ｘが示す棒金収納部１１４の引出し方向に棒金収納列が形成されてもよい。
【００３２】
図３は、棒金が収納された本発明の第１の実施形態に係る棒金収納部１１４の外観の具体例を示す斜視図である。図３に示したように、上述した棒金トレイ１２０の各棒金収納空間に、各棒金収納空間に対応する金種の棒金が収納されることにより、棒金トレイ１２０において棒金が格子状に配列される。なお、図３においては、棒金収納空間Ｓ１１〜Ｓ１５に収納される一円玉〜百円玉の棒金が５０枚の硬貨からなり、棒金収納空間Ｓ１６に収納される五百円玉の棒金が２０枚の硬貨からなる例を示しているが、棒金収納空間Ｓ１６には５０枚の硬貨からなる五百円玉の棒金を収納することも可能である。
【００３３】
また、棒金収納空間Ｓ１１〜Ｓ１６各々の底部は異なる高さに配置されてもよい。例えば、棒金収納空間Ｓ１１〜Ｓ１６各々の底部の高さを棒金収納空間Ｓ１１〜Ｓ１６に収納される棒金の長さに応じた高さにすることにより、棒金収納空間Ｓ１１〜Ｓ１６に収納される棒金の上端の高さを一致させることが可能である。さらに、棒金収納空間Ｓ１１〜Ｓ１６に収納される棒金の上端の高さを一致させることにより、誤った金種の棒金が棒金収納空間に収納されていることを目視で発見することが可能となる。
【００３４】
また、棒金収納空間Ｓ１１〜Ｓ１６各々の内径は棒金収納空間Ｓ１１〜Ｓ１６各々に収納される金種より硬貨外径の大きいいずれの金種の硬貨外径よりも小さく、棒金収納空間Ｓ１１〜Ｓ１６各々に収納される金種の硬貨外径より大きい。係る構成により、本発明の実施形態に係る棒金収納部１１４は、誤った金種の棒金が棒金収納空間に収納されることを抑止することが可能である。例えば、本発明の実施形態に係る棒金収納部１１４は、１円玉の棒金が収納される棒金収納空間Ｓ１１に他の金種の棒金が収納されることを防止することが可能である。
【００３５】
図４に示したように、棒金検出基板１２２は棒金収納列各々に対して設けられる。例えば、棒金検出基板１２２は、各棒金収納空間の側面に対向するように、棒金収納列の列方向に沿って棒金収納列各々に対して設けられる。ここで、棒金検出基板１２２は、各棒金収納空間の側面に対向するように、棒金収納列の列方向に垂直な方向に沿って複数の棒金収納列に渡って設けられてもよい。なお、棒金検出基板１２２は、棒金トレイ１２０に覆われる位置に設けられるので、図４において棒金検出基板１２２は破線で示される。
【００３６】
図５は、図４に示した棒金収納列に沿ったＡ１−Ａ１断面における本発明の第１の実施形態に係る棒金収納部１１４の具体例を示す断面図である。図５に示したように、棒金検出基板１２２はコネクタ１２４を介して制御基板１２６と接続されている。
【００３７】
さらに、棒金検出基板１２２は、図４および図５に示したように、棒金収納列に含まれる各棒金収納空間に対応する位置に、棒金の有無に応じて出力が変化するセンサとしてコイル１２８を有する。以下、図６を参照してコイル１２８について説明する。
【００３８】
図６は、コイル１２８の構成を示す説明図である。コイル１２８は、図６に示したように、棒金検出基板１２２に配線パターンで形成される。このコイル１２８のインダクタンスは、コイル１２８に対応する棒金収納空間における棒金の有無に応じて変化する。
【００３９】
ここで、棒金検出基板１２２は、当該コイル１２８のインダクタンスを検出値として制御基板１２６に出力する。制御基板１２６は、棒金の有無を判定する判定部としての機能を有し、具体的には、当該棒金検出基板１２２から入力される検出値に基づき、各棒金収納空間における棒金の有無を判定することが可能である。
【００４０】
なお、図６においてはコイル１２８のみを示しているが、実際には、コイル１２８に付随してトランジスタ、抵抗およびコンデンサなどの要素が実装される。また、コイル１２８は、棒金検出基板１２２の内部および反対面に渡って複数層に渡って形成されていてもよい。
【００４１】
また、棒金検出基板１２２においてコイル１２８は同じ高さに設けられてもよいが、各コイル１２８が設置される位置は係る例に限定されない。例えば、図５に示したように、各コイル１２８は、棒金収納空間Ｓ１１〜Ｓ１６各々の底部の高さに応じた高さに設けられてもよい。また、各コイル１２８を棒金収納空間の底部から離れた高さに設けることにより、棒金収納空間に混入した金属片（例えば、クリップまたはホッチキスの芯など）がコイル１２８に与える影響を低減することが可能である。
【００４２】
なお、本実施形態において棒金収納部１１４に備えられるセンサは配線パターンで形成されたコイルであるが、センサは配線パターンで形成されたコイルに限定されない。例えば、センサは光学センサであってもよい。また、本実施形態において棒金収納部１１４に備えられるセンサは棒金収納空間の側面に対向して設けられるが、センサが設置される位置は係る例に限定されない。例えば、センサは棒金収納空間の底面に対向して設けられてもよい。
【００４３】
ここで、本実施形態に係る棒金収納部１１４の技術的意義を明らかにするために、本実施形態に係る棒金収納部１１４の構成の詳細な説明に先立ち、比較例に係る棒金収納部について説明する。
【００４４】
（比較例）
図７は、棒金収納列に沿った断面における、棒金が収納された比較例に係る棒金収納部の具体例を示す断面図の拡大図である。図８は、棒金収納列に垂直な断面における、棒金が収納された比較例に係る棒金収納部の具体例を示す断面図の拡大図である。ここで、図７および図８は、一例として棒金収納空間Ｓ１１に棒金Ｂ１１が収納された例を示す。図７および図８に示したように、比較例に係る棒金収納部は、棒金収納空間Ｓ１１に収納された棒金Ｂ１１の底部と当接する当接部Ｆ９１を備える。
【００４５】
図７および図８において、棒金Ｂ１１が収納される棒金収納空間Ｓ１１に異物Ｔが混入した場合に、異物Ｔが棒金収納空間Ｓ１１に収納される棒金Ｂ１１の姿勢に影響を与える。より具体的には、棒金Ｂ１１が収納される棒金収納空間Ｓ１１に異物Ｔが混入した場合に、棒金収納空間Ｓ１１に収納される棒金Ｂ１１の底部と当接する当接部Ｆ９１と棒金Ｂ１１の間に異物Ｔが介在することにより棒金Ｂ１１が傾く。したがって、棒金Ｂ１１が収納される棒金収納空間Ｓ１１に異物Ｔが混入することにより、棒金収納空間Ｓ１１に収納される棒金Ｂ１１とコイル１２８との位置関係のバラつきが生じる。結果として、コイル１２８から出力される検出レベルのバラつきが生じ、当該検出レベルのバラつきが棒金有無の判定精度に影響を与えるという問題があった。
【００４６】
これに対し、本発明の第１の実施形態によれば、上記問題を解決し棒金有無の判定精度を向上することが可能である。以下、このような効果を実現するための本発明の第１の実施形態に係る棒金収納部１１４に設けられる当接部の構成について詳細に説明する。
【００４７】
（当接部の構成）
図９は、図４に示した棒金収納列に沿ったＡ１−Ａ１断面における、棒金Ｂ１１が収納された本発明の第１の実施形態に係る棒金収納部１１４の具体例を示す断面図の拡大図である。図１０は、図４に示した棒金収納列に垂直なＡ２−Ａ２断面における、棒金Ｂ１１が収納された本発明の第１の実施形態に係る棒金収納部１１４の具体例を示す断面図の拡大図である。ここで、図９および図１０は、一例として棒金収納空間Ｓ１１に棒金Ｂ１１が収納された例を示す。図９および図１０に示したように、本発明の第１の実施形態に係る棒金収納部１１４は、棒金収納空間Ｓ１１に収納された棒金Ｂ１１の底部と当接する当接部Ｆ１１を備える。
【００４８】
本発明の第１の実施形態に係る棒金収納部１１４において、図９および図１０において一点鎖線で示した穴部Ｈ１１が当接部Ｆ１１に形成される。また、棒金収納部１１４は棒金収納空間Ｓ１１〜Ｓ１６各々に対応する複数の当接部Ｆ１１〜Ｆ１６（Ｆ１２〜Ｆ１６については図示せず）を備え、当該当接部Ｆ１１〜Ｆ１６に穴部Ｈ１１〜Ｈ１６（Ｈ１２〜Ｈ１６については図示せず）が各々形成される。なお、当接部に形成される穴部は溝状、環状もしくは格子状またはそれらの組み合わせであってもよく、貫通孔であってもよい。以下、各当接部Ｆ１１〜Ｆ１６および各穴部Ｈ１１〜Ｈ１６を特に区別する必要が無い場合には、各当接部Ｆ１１〜Ｆ１６および各穴部Ｈ１１〜Ｈ１６をそれぞれ単に当接部および穴部、または当接部Ｆ１０および穴部Ｈ１０と総称する。
【００４９】
また、図４および図５に示したように、本発明の第１の実施形態に係る棒金収納部１１４は、棒金収納空間Ｓ１１〜Ｓ１６各々に対応する複数の当接部に渡って形成される凹部１３０を備え、当該複数の当接部各々の穴部は凹部１３０の一部を形成する。なお、凹部１３０は直線状に形成されてもよく、凹部１３０の底面は傾斜を有してもよい。
【００５０】
ここで、図９および図１０において、棒金Ｂ１１が収納される棒金収納空間Ｓ１１に異物Ｔが混入した場合に、混入した異物Ｔは当接部Ｆ１１に滞留することなく凹部１３０に落下しやすいので、棒金収納空間Ｓ１１に収納される棒金Ｂ１１の姿勢は異物Ｔによる影響を受けにくい。したがって、棒金Ｂ１１が収納される棒金収納空間Ｓ１１に異物Ｔが混入することによる棒金収納空間Ｓ１１に収納される棒金Ｂ１１とコイル１２８との位置関係のバラつきは生じにくい。ゆえに、本発明の第１の実施形態に係る棒金収納部１１４は、棒金が収納される棒金収納空間に異物が混入した場合に、コイルから出力される検出レベルのバラつきを低減することができるため、棒金有無の判定精度を向上することが可能である。
【００５１】
なお、本発明の第１の実施形態に係る棒金収納部１１４において、異物が当接部に滞留した場合であっても、凹部１３０に異物を容易に落下させることが可能である。具体的には、図１１に示すように、本発明の第１の実施形態に係る棒金収納部１１４は、異物Ｔが棒金収納空間Ｓ１２に対応する当接部に滞留した場合であっても、指や細い棒などを用いることにより凹部１３０に異物を容易に落下させることが可能である。
【００５２】
また、本発明の第１の実施形態に係る棒金収納部１１４において、異物が凹部１３０に落下し滞留した場合であっても、当該異物を容易に除去することが可能である。具体的には、図１１に示すように、本発明の第１の実施形態に係る棒金収納部１１４は、異物Ｔが凹部１３０における棒金収納空間Ｓ１２またはＳ１１の下部に相当する領域に落下し滞留した場合であっても、異物Ｔを凹部１３０に沿って棒金収納列方向に掻き出すことにより、異物Ｔを凹部１３０の端部へ集めることが可能である。ゆえに本発明の第１の実施形態に係る棒金収納部１１４は、異物Ｔを容易に除去することが可能である。
【００５３】
また、本発明の第１の実施形態に係る棒金収納部１１４において、硬貨が誤って棒金収納空間に混入した場合であっても、当該硬貨を容易に除去することが可能である。具体的には、本発明の第１の実施形態に係る棒金収納部１１４は、図１２に示したように硬貨Ｃが誤って棒金収納空間Ｓ１１に混入した場合であっても、硬貨Ｃの凹部１３０上に位置する縁部を凹部１３０方向へ押下することにより図１２に示す矢印方向へ回転させた後に硬貨Ｃを棒金収納部Ｓ１１の内壁へ押し当てながら掻き出すことにより、硬貨Ｃを容易に除去することが可能である。
【００５４】
なお、本発明の第１の実施形態に係る棒金収納部１１４の構成は、上述した当接部に穴部が形成されない比較例に係る棒金収納部の構成と比較し、棒金収納空間Ｓ１１〜Ｓ１６各々に対応する複数の当接部に形成される穴部を備える点および棒金収納空間Ｓ１１〜Ｓ１６各々に対応する複数の当接部に渡って形成される凹部１３０を備える点のみにおいて異なる。ゆえに、本発明の第１の実施形態に係る棒金収納部１１４は、比較例に係る棒金収納部との比較における製造コストの増加を抑止することが可能である。
【００５５】
＜２．第２の実施形態＞
以上、本発明の第１の実施形態について説明した。続いて、本発明の第２の実施形態について説明する。
【００５６】
図１３は、本発明の第２の実施形態に係る棒金収納部２１４の具体例を示す平面図である。図１４は、図１３に示した棒金収納列に沿ったＡ３−Ａ３断面における本発明の第２の実施形態に係る棒金収納部２１４の具体例を示す断面図である。図１３および図１４に示したように、本発明の第１の実施形態に係る棒金収納部１１４の構成と比較し、本発明の第２の実施形態に係る棒金収納部２１４の構成は棒金トレイに形成される棒金収納空間の内径について異なる。なお、本発明の第２の実施形態に係る棒金収納部２１４における棒金検出基板２２２、コネクタ２２４、制御基板２２６、コイル２２８、当接部Ｆ２０（図示せず），穴部Ｈ２０（図示せず）、凹部２３０は本発明の第１の実施形態に係る棒金収納部１１４における棒金検出基板１２２、コネクタ１２４、制御基板１２６、コイル１２８、当接部Ｆ１０，穴部Ｈ１０、凹部１３０と実質的に同一なので、棒金トレイに形成される棒金収納空間以外の構成についての説明は省略する。
【００５７】
本発明の第２の実施形態に係る棒金収納部２１４において、棒金トレイ２２０が有する全ての棒金収納空間Ｓ２０の内径は硬貨外径が最大となる金種の硬貨外径より大きい。例えば、図１３および図１４において、棒金トレイ２２０が有する全ての棒金収納空間Ｓ２０の内径は５００円硬貨の外径より大きい。なお、棒金トレイ２２０が有する全ての棒金収納空間Ｓ２０の内径は同一でもよい。
【００５８】
以上説明したように、本発明の第２の実施形態に係る棒金収納部２１４において、棒金トレイ２２０が有する全ての棒金収納空間Ｓ２０の内径は５００円硬貨の外径より大きいので、棒金収納空間Ｓ２０各々に収納可能な棒金は金種に限定されない。一方、本発明の第１の実施形態に係る棒金収納部１１４において、棒金収納空間各々について予め定められた金種より硬貨外径の大きい金種の棒金を当該棒金収納空間各々に収納することができない。ゆえに、本発明の第２の実施形態に係る棒金収納部２１４は、棒金収納空間に収納される棒金の金種選択の自由度を向上させることが可能である。
【００５９】
また、本発明の第２の実施形態に係る棒金収納部２１４において、図１４に示したように全ての棒金収納空間Ｓ２０の底部の高さは同一でもよい。本発明の第２の実施形態に係る棒金収納部２１４は、係る構成により棒金収納部２１４の形状が単純化されるため、製造コストを低減することが可能である。また、本発明の第２の実施形態に係る棒金収納部２１４において、各々の棒金収納空間Ｓ２０の底部の高さが異なる場合、棒金収納空間に収納された棒金の上端の高さのうち最も高い高さが各々の棒金収納空間Ｓ２０の底部の高さの差に応じて高くなるという問題がある。しかし、本発明の第２の実施形態に係る棒金収納部２１４は、全ての棒金収納空間Ｓ２０の底部の高さが同一であることにより、省スペース化を実現することが可能である。
【００６０】
なお、本発明の第２の実施形態に係る棒金収納部２１４において、コイル２２８が棒金収納空間Ｓ２０の下端側に配置されてもよい。図１４に示したように、棒金収納部２１４において全ての棒金収納空間Ｓ２０の底部の高さが同一である場合、棒金収納部２１４に収納された棒金Ｂ２１の上端の高さと棒金Ｂ２１と金種の異なる棒金Ｂ２２の上端の高さは異なる。しかし、図１４に示したようにコイル２２８が棒金収納空間Ｓ２０の下端側に配置されることにより、制御基板２２６は棒金Ｂ２１および棒金Ｂ２２の有無を判定することができる。
【００６１】
＜３．第３の実施形態＞
以上、本発明の第２の実施形態について説明した。続いて、本発明の第３の実施形態について説明する。
【００６２】
図１５は、本発明の第３の実施形態に係る棒金収納部３１４の具体例を示す平面図である。図１６は、図１５に示した棒金収納列に沿ったＡ４−Ａ４断面における本発明の第３の実施形態に係る棒金収納部３１４の具体例を示す断面図の拡大図である。図１５および図１６に示したように、本発明の第２の実施形態に係る棒金収納部２１４と異なり、本発明の第３の実施形態に係る棒金収納部３１４は、棒金収納空間各々に対応する複数の当接部に渡って形成される凹部を備えず、ステージ３３４および弾性部材３３６を備える。なお、本発明の第３の実施形態に係る棒金収納部３１４における棒金収納空間Ｓ３０、棒金検出基板３２２、コネクタ３２４（図示せず）、制御基板３２６（図示せず）、コイル３２８は本発明の第２の実施形態に係る棒金収納部２１４における棒金収納空間Ｓ２０、棒金検出基板２２２、コネクタ２２４、制御基板２２６、コイル２２８と実質的に同一なので、これらの構成についての説明は省略する。
【００６３】
図１５および図１６に示したように、本発明の第３の実施形態に係る棒金収納部３１４は、棒金トレイ３２０に対して可動なステージ３３４を備える。ステージ３３４は当接部Ｆ３０を有し、当接部Ｆ３０に穴部Ｈ３０が形成される。なお、ステージ３３４の外形は円柱形や、多角柱であってもよい。また、穴部Ｈ３０は溝状、環状もしくは格子状またはそれらの組み合わせであってもよい。
【００６４】
図１５および図１６に示したように、本発明の第３の実施形態に係る棒金収納部３１４は、棒金収納空間Ｓ３０に収納された棒金側に当接部Ｆ３０を付勢する弾性部材３３６を備える。なお、弾性部材３３６は、ばねまたはゴムであってもよい。
【００６５】
図１６に示したように、本発明の第３の実施形態において、棒金収納空間Ｓ３０に棒金が収納されていない場合に、ステージ３３４はコイル３２８より上部に配置されてもよい。係る構成により、本発明の第３の実施形態に係る棒金収納部３１４は、ステージ３３４にクリップや硬貨などの金属物質が混入した場合であっても、制御基板３２６が棒金の有無を誤って判定することを防止することができる。
【００６６】
ここで、現金処理装置１００において、五百円玉の棒金として、５０枚の五百円硬貨からなる棒金と２０枚の五百円硬貨からなる棒金が用いられている。そして、５０枚の五百円硬貨からなる棒金の硬貨積層方向の長さと比較し２０枚の五百円硬貨からなる棒金の硬貨積層方向の長さは短い。ゆえに、本発明の第３の実施形態における棒金収納部Ｓ３０と異なり当接部が固定されている棒金収納部において、当該棒金収納部に５０枚の五百円硬貨からなる棒金が収納された場合に収納された５０枚の五百円硬貨からなる棒金の上端は棒金トレイの上端より高く、一方、当該棒金収納部に２０枚の五百円硬貨からなる棒金が収納された場合に収納された２０枚の五百円硬貨からなる棒金の上端は棒金トレイの上端より低いため、棒金の抜き取りにおける操作性が不十分であるという問題があった。以下、図１７および図１８を参照して、上記問題を解決した本発明の第３の実施形態に係る棒金収納部３１４について説明する。
【００６７】
図１７は、図１５に示した棒金収納列に沿ったＡ４−Ａ４断面における、棒金が収納された本発明の第３の実施形態に係る棒金収納部３１４の具体例を示す断面図の拡大図である。図１７において、棒金Ｂ３１は５０枚の五百円硬貨からなる棒金を示す。棒金Ｂ３１が棒金収納空間Ｓ３０に収納されると、弾性部材３３６は棒金Ｂ３１の重さに応じた長さ縮む。次に、制御基板３２６はコイル３２８の出力に応じて棒金Ｂ３１が有ることを判定する。
【００６８】
図１８は、図１５に示した棒金収納列に沿ったＡ４−Ａ４断面における、棒金が収納された本発明の第３の実施形態に係る棒金収納部３１４の具体例を示す断面図の拡大図である。図１８において、棒金Ｂ３２は２０枚の五百円硬貨からなる棒金を示す。棒金Ｂ３２が棒金収納空間Ｓ３０に収納されると、弾性部材３３６は棒金Ｂ３２の重さに応じた長さ縮む。ここで、棒金Ｂ３２は棒金Ｂ３１より重さが軽いため、棒金Ｂ３１が棒金収納空間Ｓ３０に収納された場合に弾性部材３３６が縮む長さと比較し、棒金Ｂ３２が棒金収納空間Ｓ３０に収納された場合に弾性部材３３６が縮む長さは短い。したがって、本発明の第３の実施形態に係る棒金収納部３１４は、棒金収納部Ｓ３０に収納された棒金Ｂ３２の上端を棒金トレイ３２０の上端より高くすることができる。
【００６９】
なお、棒金収納空間Ｓ３０に収納された棒金Ｂ３１の底部の高さと比較し、棒金収納空間Ｓ３０に収納された棒金Ｂ３２の底部の高さは高い。しかし、本発明の第３の実施形態に係る棒金収納部３１４において、コイル３２８は棒金収納部Ｓ３０に収納された棒金Ｂ３２の底部の高さより上側に配置されるため、制御基板３２６はコイル３２８の出力に応じて棒金Ｂ３２が有ることを判定することができる。
【００７０】
以上説明したように、棒金Ｂ３１の硬貨積層方向の長さと比較し棒金Ｂ３２の硬貨積層方向の長さは短いが、本発明の第３の実施形態に係る棒金収納部３１４は、弾性部材３３６の復元力により棒金収納部Ｓ３０に収納された棒金Ｂ３２の上端を棒金トレイ３２０の上端より高くすることができる。また、本発明の第３の実施形態に係る棒金収納部３１４は、コイル３２８が棒金収納部Ｓ３０に収納された棒金Ｂ３２の底部の高さより上側に配置されるため、棒金Ｂ３２の有無を判定することができる。ゆえに、本発明の第３の実施形態に係る棒金収納部３１４は、５０枚の五百円硬貨からなる棒金および２０枚の五百円硬貨からなる棒金の有無を判定することを可能としつつ棒金の抜き取りにおける操作性を向上させることが可能である。
【００７１】
なお、図１７および図１８に示したように、異物Ｔが棒金収納部Ｓ３０に混入した場合、混入した異物Ｔは当接部Ｆ３０に滞留することなく穴部Ｈ３０に落下しやすいので、棒金収納空間Ｓ３０に収納される棒金Ｂ３１またはＢ３２の姿勢は異物Ｔによる影響を受けにくい。したがって、棒金Ｂ３１またはＢ３２が収納される棒金収納空間Ｓ３０に異物Ｔが混入することによる棒金収納空間Ｓ３０に収納される棒金Ｂ３１またはＢ３２とコイル３２８との位置関係のバラつきは生じにくい。ゆえに、本発明の第３の実施形態に係る棒金収納部３１４は、棒金が収納される棒金収納空間Ｓ３０に異物が混入した場合に、コイル３２８から出力される検出レベルのバラつきを低減することができるため、棒金有無の判定精度を向上することが可能である。
【００７２】
＜４．むすび＞
以上説明したように、本発明の実施形態に係る棒金収納部は、棒金が収納される棒金収納空間に異物が混入した場合に、棒金収納空間に収納される棒金の姿勢の異物による影響を抑止することができるため、当該棒金とコイルとの位置関係のバラつきを低減することができる。ゆえに、本発明の実施形態に係る棒金収納部は、棒金が収納される棒金収納空間に異物が混入した場合に、コイルから出力される検出レベルのバラつきを低減することができるため、棒金有無の判定精度を向上することが可能である。
【００７３】
また、本発明の実施形態に係る棒金収納部において、異物が当接部に滞留した場合であっても、凹部に異物を容易に落下させることが可能である。具体的には、異物が棒金収納空間に対応する当接部に滞留した場合であっても、指や細い棒などを用いることにより凹部に異物を容易に落下させることが可能である。
【００７４】
また、本発明の実施形態に係る棒金収納部において、異物が凹部に落下し滞留した場合であっても、当該異物を容易に除去することが可能である。具体的には、異物が凹部における棒金収納空間の下部に相当する領域に落下し滞留した場合であっても、異物を凹部に沿って棒金収納列方向に掻き出すことにより、異物を容易に除去することが可能である。
【００７５】
また、本発明の実施形態に係る棒金収納部において、硬貨が誤って棒金収納空間に混入した場合であっても、当該硬貨を容易に除去することが可能である。具体的には、硬貨が誤って棒金収納空間に混入した場合であっても、硬貨の凹部上に位置する縁部を凹部方向へ押下することにより回転させた後に硬貨を棒金収納部の内壁へ押し当てながら掻き出すことにより、硬貨を容易に除去することが可能である。
【００７６】
また、本発明の実施形態に係る棒金収納部において、棒金トレイが有する全ての棒金収納空間の内径は５００円硬貨の外径より大きいので、棒金収納空間各々に収納可能な棒金は金種に限定されない。ゆえに、本発明の実施形態に係る棒金収納部は、棒金収納空間に収納される棒金の金種選択の自由度を向上させることが可能である。
【００７７】
また、本発明の実施形態において、棒金収納空間に棒金が収納されていない場合に、ステージはコイルより上部に配置されてもよい。係る構成により、本発明の実施形態に係る棒金収納部は、ステージにクリップや硬貨などの金属物質が混入した場合であっても、制御基板が棒金の有無を誤って判定することを防止することができる。
【００７８】
また、本発明の実施形態に係る棒金収納部は、弾性部材の復元力により棒金収納部に収納された棒金の上端を棒金トレイの上端より高くすることができる。また、本発明の実施形態に係る棒金収納部は、コイルが棒金収納部に収納された２０枚の五百円硬貨からなる棒金の底部の高さより上側に配置されるため、２０枚の五百円硬貨からなる棒金の有無を判定することができる。ゆえに、本発明の実施形態に係る棒金収納部は、５０枚の五百円硬貨からなる棒金および２０枚の五百円硬貨からなる棒金の有無を判定することを可能としつつ棒金の抜き取りにおける操作性を向上させることが可能である。
【００７９】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８０】
Ｓ１１、Ｓ１２、Ｓ１３、Ｓ１４、Ｓ１５、Ｓ１６、Ｓ２０、Ｓ３０  棒金収納空間
Ｒ  棒金収納列
Ｆ１１、Ｆ２０、Ｆ３０  当接部
Ｈ１１、Ｈ２０、Ｈ３０  穴部
Ｂ１１、Ｂ２１、Ｂ２２、Ｂ３１、Ｂ３２  棒金
Ｔ  異物
Ｃ  硬貨
１００  現金処理装置
１０２  操作表示部
１０４  硬貨入金口
１０６  硬貨処理部
１０８  硬貨出金口
１１０  紙幣入出金口
１１２  紙幣処理部
１１４、２１４、３１４  棒金収納部
１２０、２２０、３２０  棒金トレイ
１２２、２２２、３２２  棒金検出基板
１２４、２２４、３２４  コネクタ
１２６、２２６、３２６  制御基板
１２８、２２８、３２８  コイル
１３０、２３０  凹部
３３４  ステージ
３３６  弾性部材
【図１】
0006481318.tif 000002
【図２】
0006481318.tif 000003
【図３】
0006481318.tif 000004
【図４】
0006481318.tif 000005
【図５】
0006481318.tif 000006
【図６】
0006481318.tif 000007
【図７】
0006481318.tif 000008
【図８】
0006481318.tif 000009
【図９】
0006481318.tif 000010
【図１０】
0006481318.tif 000011
【図１１】
0006481318.tif 000012
【図１２】
0006481318.tif 000013
【図１３】
0006481318.tif 000014
【図１４】
0006481318.tif 000015
【図１５】
0006481318.tif 000016
【図１６】
0006481318.tif 000017
【図１７】
0006481318.tif 000018
【図１８】
0006481318.tif 000019